(57)【要約】【課題】住人のライフリズム異常を検出できると共に、入浴時の住人の緊急事態の発生をも素早く検出して緊急通報を自動的に行うことが可能な緊急通報装置を提供する。【解決手段】ライフリズムセンサと、入浴センサ及び解除センサと、ライフリズムタイマ及び入浴タイマを有するコントローラと、住人の緊急事態の発生を報知可能な報知手段とを備え、コントローラは、入浴センサによる住人の検知で風呂モードに設定された場合で、解除センサが入浴タイマで予め設定した所定時間内に住人を検知しない場合に入浴異常と判定して報知手段で緊急通報を自動的に報知可能であると共に、ライフリズムセンサがライフリズムタイマで予め設定した所定時間内に住人を検知しない場合にライフリズム異常と判定して報知手段で緊急通報を自動的に報知可能であることを特徴とする。【選択図】  図４
2014063361.tif 000002
【特許請求の範囲】
【請求項１】
住人が毎日の生活において必ず使用する住宅の所定場所に設置されたライフリズムセンサと、住人が入浴する風呂モードに手動により設定及び解除操作可能な風呂モード設定手段と、前記住人のライフリズム異常を検出するためのライフリズムタイマ及び前記住人の入浴異常を検出するための入浴タイマを有するコントローラと、前記ライフリズム異常及び又は入浴異常を報知可能な報知手段とを備え、
前記コントローラは、前記風呂モード設定手段で風呂モードに設定操作された場合で、前記入浴タイマで予め設定した所定時間内に風呂モードが解除操作されない場合に入浴異常と判定して前記報知手段で緊急通報を自動的に報知可能であると共に、前記ライフリズムセンサが前記ライフリズムタイマで予め設定した所定時間内に住人を検知しない場合にライフリズム異常と判定して前記報知手段で緊急通報を自動的に報知可能であることを特徴とする緊急通報装置。
【請求項２】
住人が毎日の生活において必ず使用する住宅の所定場所に設置されたライフリズムセンサと、住人が入浴時に使用する住宅の所定場所に設置された入浴センサ及び解除センサと、前記住人のライフリズム異常を検出するためのライフリズムタイマ及び前記住人の入浴異常を検出するための入浴タイマを有するコントローラと、前記ライフリズム異常及び又は入浴異常を報知可能な報知手段とを備え、
前記コントローラは、前記入浴センサによる住人の検知で風呂モードに設定された場合で、前記解除センサが前記入浴タイマで予め設定した所定時間内に住人を検知しない場合に入浴異常と判定して前記報知手段で緊急通報を自動的に報知可能であると共に、前記ライフリズムセンサが前記ライフリズムタイマで予め設定した所定時間内に住人を検知しない場合にライフリズム異常と判定して前記報知手段で緊急通報を自動的に報知可能であることを特徴とする緊急通報装置。
【請求項３】
前記コントローラは、風呂予備モード設定手段により風呂予備モードに設定された際に、前記入浴センサによる住人の検知で前記風呂モードに設定されることを特徴とする請求項２に記載の緊急通報装置。
【請求項４】
前記入浴センサ及び解除センサが休止モードの機能を持つワイヤレスセンサで構成され、前記コントローラは、前記風呂モードもしくは風呂予備モードに設定された際に、前記休止モードを終了させることを特徴とする請求項２または３に記載の緊急通報装置。
【発明の詳細な説明】
【技術分野】
【０００１】
本発明は、老人等の一人暮らしの住人の家庭に設置されて、住人に体調不良等の緊急事態が発生した場合に、緊急通報を自動的に行うことが可能な緊急通報装置に関する。
【背景技術】
【０００２】
従来、この種の緊急通報装置としては、住人が生活する上で毎日必ず使用する住宅の所定場所（トイレ等）に設置されたセンサと、このセンサが接続されたコントローラとを備え、センサが予め設定した一定時間住人を検知しない場合に、コントローラが住人のライフリズムが異常（緊急事態）であると判定して、緊急通報装置を管理する警備会社等の運営会社に緊急通報を自動的に行うものが知られている。なお、緊急通報装置に関する公報としては、例えば特許文献１がある。
【先行技術文献】
【特許文献】
【０００３】
【特許文献１】特開２００２−２４９６７号公報
【発明の概要】
【発明が解決しようとする課題】
【０００４】
しかしながら、このような緊急通報装置においては、住人が毎日必ず使用する住宅のトイレ等に単にセンサを設置しているのみであるため、住人のライフリズム異常は検出できるものの、例えば風呂に入る際の温度差による住人の卒倒や、あるいは風呂の洗い場において足を滑らせることによる住人の転倒等の緊急事態の発生を速やかに検出して緊急通報を行うことが困難である。特に、温度差が大きくなり易い冬期において入浴に係わる事故が発生し易いことから、その改善が望まれているのが実情である。
【０００５】
本発明は、このような事情に鑑みてなされたもので、その目的は、住人のライフリズム異常を検出できると共に、入浴時の住人の緊急事態の発生をも素早く検出して緊急通報を自動的に行うことが可能な緊急通報装置を提供することにある。
【課題を解決するための手段】
【０００６】
かかる目的を達成すべく、本発明のうち請求項１に記載の発明は、住人が毎日の生活において必ず使用する住宅の所定場所に設置されたライフリズムセンサと、住人が入浴する風呂モードに手動により設定及び解除操作可能な風呂モード設定手段と、前記住人のライフリズム異常を検出するためのライフリズムタイマ及び前記住人の入浴異常を検出するための入浴タイマを有するコントローラと、前記ライフリズム異常及び又は入浴異常を報知可能な報知手段とを備え、前記コントローラは、前記風呂モード設定手段で風呂モードに設定操作された場合で、前記入浴タイマで予め設定した所定時間内に風呂モードが解除操作されない場合に入浴異常と判定して前記報知手段で緊急通報を自動的に報知可能であると共に、前記ライフリズムセンサが前記ライフリズムタイマで予め設定した所定時間内に住人を検知しない場合にライフリズム異常と判定して前記報知手段で緊急通報を自動的に報知可能であることを特徴とする。
【０００７】
また、請求項２に記載の発明は、住人が毎日の生活において必ず使用する住宅の所定場所に設置されたライフリズムセンサと、住人が入浴時に使用する住宅の所定場所に設置された入浴センサ及び解除センサと、前記住人のライフリズム異常を検出するためのライフリズムタイマ及び前記住人の入浴異常を検出するための入浴タイマを有するコントローラと、前記ライフリズム異常及び又は入浴異常を報知可能な報知手段とを備え、前記コントローラは、前記入浴センサによる住人の検知で風呂モードに設定された場合で、前記解除センサが前記入浴タイマで予め設定した所定時間内に住人を検知しない場合に入浴異常と判定して前記報知手段で緊急通報を自動的に報知可能であると共に、前記ライフリズムセンサが前記ライフリズムタイマで予め設定した所定時間内に住人を検知しない場合にライフリズム異常と判定して前記報知手段で緊急通報を自動的に報知可能であることを特徴とする。
【０００８】
また、請求項３に記載の発明は、前記コントローラが、風呂予備モード設定手段により風呂予備モードに設定された際に、前記入浴センサによる住人の検知で前記風呂モードに設定されることを特徴とする。さらに、請求項４に記載の発明は、前記入浴センサ及び解除センサが休止モードの機能を持つワイヤレスセンサで構成され、前記コントローラは、前記風呂モードもしくは風呂予備モードに設定された際に、前記休止モードを終了させることを特徴とする。
【発明の効果】
【０００９】
本発明のうち請求項１に記載の発明によれば、風呂モード設定手段で風呂モードに設定操作された場合で、入浴タイマで予め設定した所定時間内に風呂モードが解除操作されない場合に入浴異常と判定して報知手段で緊急通報を自動的に報知すると共に、ライフリズムセンサがライフリズムタイマで予め設定した所定時間内に住人を検知しない場合にライフリズム異常と判定して報知手段で緊急通報を自動的に報知するため、住人のライフリズム異常を検出できると共に、スイッチ等の風呂モード設定手段の手動操作に基づいて、入浴時の住人の緊急事態（入浴異常）の発生も素早く検出して緊急通報を自動的に行うことが可能となり、簡易な構成により、冬期等における住人の入浴時の緊急事態の発生に的確に対応できて、信頼性と使い勝手に優れた緊急通報装置を提供することが可能となる。
【００１０】
また、請求項２に記載の発明によれば、入浴センサによる住人の検知で風呂モードに設定された場合で、解除センサが入浴タイマで予め設定した所定時間内に住人を検知しない場合に入浴異常と判定して報知手段で緊急通報を自動的に報知すると共に、ライフリズムセンサがライフリズムタイマで予め設定した所定時間内に住人を検知しない場合にライフリズム異常と判定して報知手段で緊急通報を自動的に報知するため、住人のライフリズム異常を検出できると共に、入浴センサと解除センサの住人の検知により風呂モードへの設定や解除を自動的に行うことができて、入浴時の住人の緊急事態（入浴異常）の発生も素早く検出して緊急通報を自動的に行うことが可能となり、冬期等における住人の入浴時の緊急事態の発生に的確に対応できて、信頼性と使い勝手に優れた緊急通報装置を提供することが可能となる。
【００１１】
また、請求項３に記載の発明によれば、請求項２に記載の発明の効果に加え、コントローラが、風呂予備モード設定手段で風呂予備モードに設定された際に、入浴センサによる住人の検知で風呂モードに設定されるため、手動スイッチや時計あるいは水位センサ等の風呂予備モード設定手段により風呂予備モードに設定された場合にのみ、風呂モードに移行することがてき、例えば風呂モードを夜の所定時間帯に設定することで入浴しない昼間時等の誤動作を防止でき、緊急通報装置の信頼性を一層高めることができる。
【００１２】
さらに、請求項４に記載の発明によれば、請求項２または３に記載の発明の効果に加え、コントローラが風呂モードもしくは風呂予備モードに設定された際に、ワイヤレスセンサからなる入浴センサと解除センサの休止モードが終了するため、住人が入浴せずに脱衣所に出入りした場合の誤動作を確実に防止して、緊急通報装置の信頼性をより一層高めることができる。
【図面の簡単な説明】
【００１３】
【図１】本発明に係わる緊急通報装置の一実施形態を示すブロック構成図
【図２】同ライフリズムセンサ及び入浴センサ等の設置状態を示す説明図
【図３】同センター装置のブロック構成図
【図４】同コントローラの第１実施形態の入浴異常検出時の動作を示すフローチャート
【図５】同そのライフリズム異常検出時の動作を示すフローチャート
【図６】同コントローラの第２実施形態の入浴異常検出時の動作を示すフローチャート
【図７】同コントローラの第３実施形態の入浴異常検出時の動作を示すフローチャート
【図８】同コントローラの第４実施形態の入浴異常検出時の動作を示すフローチャート
【図９】同ワイヤレスセンサを使用した場合のセンサ及びコントローラの動作を示すフローチャート
【発明を実施するための形態】
【００１４】
以下、本発明の実施の形態を図面に基づいて詳細に説明する。
図１〜図５は、本発明に係わる緊急通報装置の一実施形態を示している。本発明に係わる緊急通報装置は、コントローラ１とセンター装置２とで構成され、後述する入浴異常検出機能とライフリズム異常検出機能の両機能を併せ持っている。前記コントローラ１は、図１に示すように、ＣＰＵ４及びタイマ５等を有して記憶部６が接続されたコントローラ制御部３を備えている。コントローラ制御部３のタイマ５は、２４時間の時計タイマ５ａと、入浴タイマとしての入浴異常検出用タイマ５ｂと、ライフリズムタイマとしてのライフリズム異常検出用タイマ５ｃ等で構成されている。
【００１５】
前記コントローラ制御部３の入力側には、住人Ｍ（図２参照）を検知可能なライフリズムセンサ７ａと、入浴時の住人Ｍを検知可能な入浴センサ７ｂ及び解除センサ７ｃ等からなるセンサ７が有線で接続され、これらの各センサ７ａ〜７ｃは、例えば熱線センサで構成されている。また、コントローラ制御部３の入力側には、後述する風呂モードに設定可能な風呂モード設定手段としての風呂モードスイッチ８ａや時間設定釦（図示せず）等を有する操作部８が接続され、この操作部８の風呂モードスイッチ８ａを住人Ｍが手動操作することにより、風呂モードがＯＮ／ＯＦＦするようになっている。なお、コントローラ制御部３の入力側には、コントローラ制御部３等に電源を供給するための電源入力部９が接続されている。
【００１６】
また、コントローラ制御部３の出力側には、液晶表示器やＬＥＤ等からなる表示器１０と、前記記憶部６に予め記憶されている音声を再生するブザーも含むスピーカ１１と、各種制御を行うためのリレー１２等が接続されている。さらに、コントローラ制御部３には、前記センサ７ａ〜７ｃとして後述するワイヤレスセンサを使用した場合等に使用される無線入出力部１３が双方向通信可能に接続されると共に、通報・通信部１４が接続されている。この通報・通信部１４は、モデム、ＤＴＭＦ、音声／表示通報部等を有し、電話網、インターネット網、モバイル網等からなる通信網１５を介してセンター装置２に双方向通信可能に接続されている。
【００１７】
この通報・通信部１４と、前記スピーカ１１及び表示器１０で本発明の報知手段が構成され、通報・通信部１４のモデム等の通報信号により、通信網１５を介してセンター装置２に所定の通報が行われると共に、通報・通信部１４の音声／表示通報部の通報信号によりコントローラ１に設けた前記スピーカ１１で音声通報したり前記表示器１０で表示通報するようになっている。なお、図１においては、センサ７としてライフリズムセンサ７ａと入浴センサ７ｂ及び解除センサ７ｃを備え、また、操作部８が風呂モードスイッチ８ａを備えるように図示したが、後述するコントローラ１の動作において、第１実施形態の場合は、入浴センサ７ｂと解除センサ７ｃは必要ではなく、また、第２〜４実施形態の場合は、風呂モードスイッチ８ａは必要ではない。
【００１８】
そして、コントローラ１は、図２に示すように、住宅１８の居間１９のテーブル上に取付器具を使用して置くかあるいは壁面に取り付けられ、コントローラ１に設けた図示しない電源コードのプラグを居間１９のコンセントに差し込むことで設置状態とされる。また、このコントローラ１に有線で接続される前記ライフリズムセンサ７ａは、住人Ｍが住宅１８で毎日使用するトイレ２０の天井もしくは壁面上部に設置され、トイレ２０内の住人Ｍを検知した場合に、検知信号（例えばＯＮ信号）をコントローラ１のコントローラ制御部３に送信するようになっている。
【００１９】
また、前記入浴センサ７ｂは、住人Ｍが入浴する際に必ず使用する脱衣所２１の天井もしくは壁面上部に設置され、脱衣所２１内の住人Ｍを検知した場合に、検知信号（例えばＯＮ信号）をコントローラ制御部３に送信するようになっている。さらに、前記解除センサ７ｃは、脱衣所２１前の廊下２２の天井等に設置されて、入浴後に脱衣所２１から出てくる住人Ｍを検知した場合に、検知信号（例えばＯＮ信号）をコントローラ制御部３に送信するようになっている。なお、入浴センサ７ｂの設置場所は、防水性の観点から脱衣所２１が好ましいが、防水性の入浴センサ７ｂを使用する場合には、浴室２３内に設置することも勿論可能である。
【００２０】
一方、前記センター装置２は、図３に示すように、ＣＰＵ２６とタイマ２７等を有して記憶部２８が接続されたセンター制御部２５を備えている。このセンター制御部２５には、液晶表示器やＣＲＴ等の表示器２９が接続されると共に、キーボード等の操作部３０が接続されている。また、センター制御部２５には、電話回線部３１が接続され、この電話回線部３１が前記通信網１５を介してコントローラ１の通報・通信部１４と通信可能となっている。
【００２１】
次に、このように構成された前記緊急通報装置の動作の一例（第１実施形態）を図４及び図５のフローチャートに基づいて説明する。なお、図４のフローチャートは、入浴異常検出時の動作を示し、図５のフローチャートは、ライフリズム異常検出時の動作を示しており、これらのフローチャートは、前記コントローラ１の記憶部６に予め記憶されたプログラムにしたがって自動的に実行される。先ず、入浴異常検出時には、前記風呂モードスイッチ８ａを有するコントローラ１が住宅１８の居間１９の所定位置に設置されると共に、前記ライフリズムセンサ７ａがトイレ２０に設置された状態で、電源が投入され前記操作部８で入浴異常検出用タイマ５ｂ及びライフリズム異常検出用タイマ５ｃの時間が設定されると、図４に示すように、プログラムがスタート（Ｓ１０１）する。
【００２２】
プログラムがスタートすると、風呂モードスイッチ８ａがＯＮか否かを判断（Ｓ１０２）、すなわち風呂モードがＯＮか否かを判断し、この判断Ｓ１０２で「ＮＯ」の場合は、入浴異常検出用タイマ（図では異常検出用タイマ、以下同）５ｂをクリア（Ｓ１０３）して、判断Ｓ１０２に戻る。一方、判断Ｓ１０２で「ＹＥＳ」の場合、すなわち住人Ｍが入浴しようとしてコントローラ１に設けられている風呂モードスイッチ８ａをＯＮ操作して風呂モードがＯＮになると、入浴異常検出用タイマ５ｂがカウントアップ（Ｓ１０４）する。なお、風呂モードスイッチ８ａのＯＮ／ＯＦＦ操作は、一人暮らしの場合は住人Ｍによって行われるが、同居家族がいる場合は、この家族によって行われても良い。
【００２３】
そして、この入浴異常検出用タイマ５ｂのカウントアップ後に、風呂モードスイッチ８ａがＯＦＦか否かを判断（Ｓ１０５）し、この判断Ｓ１０５で「ＹＥＳ」の場合、すなわち、住人Ｍの入浴が完了してコントローラ１の風呂モードスイッチ８ａが住人ＭによりＯＦＦ操作されて風呂モードがＯＦＦになった場合は、判断Ｓ１０２に戻る。なお、入浴異常検出用タイマ５ｂの設定時間は、住人Ｍの平均的な入浴時間に対応して、所定の時間に設定される。
【００２４】
一方、判断Ｓ１０５で「ＮＯ」の場合、すなわち風呂モードスイッチ８ａがＯＮのままでＯＦＦ操作されない場合は、入浴異常検出用タイマ５ｂがタイムアップか否かを判断（Ｓ１０６）し、この判断Ｓ１０６で「ＮＯ」の場合はステップＳ１０４に戻りカウントアップする。また、判断Ｓ１０６で「ＹＥＳ」の場合、すなわち風呂モードスイッチ８ａが入浴異常検出用タイマ５ｂで予め設定した時間を経過してもＯＦＦにならない場合は、入浴中の住人Ｍに異常が発生したもの（入浴異常）と判定（Ｓ１０７）し、緊急通報（Ｓ１０８）を行ってエンド（Ｓ１０９）となる。
【００２５】
なお、ステップＳ１０８における緊急通報は、報知手段としての前記通報・通信部１４から、通信網１５を利用して警備会社のセンター装置２に送信したり、家族あるいは緊急連絡先の電話等に直接もしくはセンター装置２を介して予め録音してあるメッセージを送信すること等で報知したり、前記コントローラ１に設けられた報知手段としての表示器１０の点灯、点滅やスピーカ１１の鳴動等を利用して報知される。この報知手段による報知は、緊急通報装置が設置される住宅（住人Ｍ）の状況等に応じて、通信回線を利用するかコントローラ１の報知手段を利用するか等が選択設定されるようになっており、この緊急通報の報知形態としては、後述する各フローチャートの緊急通報においても同様である。
【００２６】
これらの緊急通報により、住人Ｍに入浴異常が発生した際の、素早い緊急通報（報知）が可能になって適切な処置等を行うことができる。つまり、このフローチャートの場合、コントローラ１に風呂モードスイッチ８ａを設けることで、入浴しようとする住人Ｍの風呂モードスイッチ８ａの手動によるＯＮ／ＯＦＦ操作で、入浴異常を検出してコントローラ１から緊急通報が自動的に報知されることになる。
【００２７】
次に、前記ライフリズム異常検出時の動作を、図５のフローチャートに基づいて説明する。プログラムがスタート（Ｓ２０１）すると、ライフリズムがＯＮか否か、すなわち前記タイマ５の時計タイマ５ａでライフリズムがＯＮ状態に設定されているか否かを判断（Ｓ２０２）する。この判断Ｓ２０２は「ＹＥＳ」になるまで繰り返され、「ＹＥＳ」となった時点で前記ライフリズム異常検出用タイマ５ｃをカウントアップ（Ｓ２０３）する。
【００２８】
そして、ライフリズムセンサ７ａが住人Ｍを検知したか否かを判断（Ｓ２０４）し、この判断Ｓ２０４で「ＮＯ」の場合、すなわちライフリズムがＯＮ状態でライフリズムセンサ７ａがＯＦＦの場合は、ライフリズム異常検出用タイマ５ｃがタイムアップか否かを判断（Ｓ２０５）する。この判断Ｓ２０５で「ＹＥＳ」の場合、すなわち前記操作部８の操作により予め設定されているライフリズム異常検出用タイマ５ｃの時間がタイムアップするまでにライフリズムセンサ７ａが一度もＯＮしない場合は、住人Ｍに生活反応がないライフリズム異常（Ｓ２０６）と判定して、直ちに緊急通報（Ｓ２０７）を行ってエンド（Ｓ２０８）となる。なお、ステップＳ２０７における緊急通報は、入浴異常検出時の前記ステップＳ１０８における緊急通報と同一でも良いが、各緊急通報を異ならせて識別化可能とすることが好ましい。
【００２９】
一方、前記判断Ｓ２０４で「ＹＥＳ」の場合、すなわちライフリズムがＯＮ状態でライフリズムセンサ７ａがＯＮした場合は、ライフリズム異常検出用タイマ５ｃのカウントをクリア（Ｓ２０９）して判断Ｓ２０２に戻り、該判断Ｓ２０２以降を繰り返す。また、前記判断Ｓ２０５で「ＮＯ」の場合、すなわちライフリズム異常検出用タイマ５ｃがタイムアップしていない場合は、ステップＳ２０３に戻りライフリズム異常検出用タイマ５ｃのカウントをアップする。
【００３０】
つまり、このライフリズム異常検出機能は、ライフリズムがＯＮ状態でライフリズムセンサ７ａがライフリズム異常検出用タイマ５ｃで予め設定した所定時間内に一度もＯＮしない場合には、ライフリズム異常として緊急通報が自動的に行われ、例えば住人Ｍが起床時間を所定時間過ぎても起きずトイレ２０を使用しない場合等のライフリズム異常が検出されることになる。
【００３１】
このように、前記実施形態の緊急通報装置によれば、風呂モードスイッチ８ａの手動操作で風呂モードに設定された場合で、入浴異常検出用タイマ５ｂで予め設定した所定時間内に住人Ｍ等により風呂モードスイッチ８ａがＯＦＦ操作されない場合に、コントローラ１から緊急通報が自動的に報知されるため、入浴時の住人Ｍの緊急事態の発生を素早く検出して緊急通報を自動的に行うことができる。特に、コントローラ１に設けた風呂モードスイッチ８ａの住人Ｍやその家族によるＯＮ／ＯＦＦ操作で風呂モードの設定／解除ができることから、簡易な構成により住人Ｍの意思に応じた入浴管理が可能になると共に、冬期等における住人Ｍの入浴時の緊急事態の発生に的確に対応することができる。
【００３２】
また、入浴異常検出機能の他に、ライフリズムセンサ７ａがライフリズム異常検出用タイマ５ｃで予め設定した所定時間内に住人Ｍを検知しない場合にも、コントローラ１から緊急通報を自動的に報知するライフリズム異常検出機能も備えるため、住人Ｍのライフリズム異常も確実に検出することができる。特に、入浴異常による緊急通報とライフリズム異常による緊急通報の形態を異なるようにすれば、住人Ｍの異常事態を識別化することができる。これらのことから、住人Ｍの入浴時の緊急事態の発生と通常のライフリズム異常の発生の両方に的確に対応できて、従来にない信頼性と使い勝手に優れた緊急通報装置を提供することが可能となる。
【００３３】
図６〜図８は、前記コントローラ１の第２〜４実施形態における入浴異常検出時の動作を示すフローチャートである。これらのフローチャートは、基本的に、前記第１実施形態のフローチャートが、住人Ｍ等による風呂モードスイッチ８ａの手動操作により風呂モードをＯＮ／ＯＦＦさせたが、この風呂モードのＯＮ／ＯＦＦを自動的に行うようにした点を特徴としている。なお、これらの第２〜４実施形態のライフリズム異常検出時の動作は、前記第１実施形態と同一であるため、その説明は省略する。
【００３４】
先ず、図６に示すフローチャートは、プログラムがスタート（Ｓ３０１）すると、風呂モードがＯＮか否かを判断（Ｓ３０２）し、この判断Ｓ３０２で「ＮＯ」の場合は、脱衣所２１に設置した入浴センサ７ｂが住人Ｍを検知したか否かを判断（Ｓ３０３）する。そして、この判断Ｓ３０３で「ＮＯ」で住人Ｍが入浴センサ７ａで検知されない場合は、判断Ｓ３０２に戻る。また、判断Ｓ３０３で「ＹＥＳ」の場合、すなわち風呂モードがＯＦＦで入浴センサ７ｂが住人Ｍを検知した場合は、入浴異常検出用タイマ５ｂの時間をセット（Ｓ３０４）し、風呂モードをＯＮ（Ｓ３０５）して、判断Ｓ３０２に戻る。
【００３５】
また、前記判断Ｓ３０２で「ＹＥＳ」の場合、すなわち風呂モードがＯＮの場合は、入浴異常検出用タイマ５ｂのカウントをアップ（Ｓ３０６）し、その後に脱衣所２１近くの廊下２２に設置された解除センサ７ｃが住人Ｍを検知した否かを判断（Ｓ３０７）する。この判断Ｓ３０７で「ＮＯ」で解除センサ７ｃが入浴後の脱衣所２１から出てくる住人Ｍを検知しない場合は、入浴異常検出用タイマ５ｂがタイムアップか否かを判断（Ｓ３０８）し、この判断Ｓ３０８で「ＹＥＳ」で入浴異常検出用タイマ５ｂがタイムアップした場合は、住人Ｍが入浴したにも係わらず脱衣所２１から出てこないことから、入浴異常（Ｓ３０９）が発生したものと判定して、前記ステップＳ１０８と同様の緊急通報（Ｓ３１０）を行ってエンド（Ｓ３１１）となる。
【００３６】
一方、判断Ｓ３０７で「ＹＥＳ」で、解除センサ７ｃが入浴後の住人Ｍを検知した場合は、入浴異常検出用タイマ５ｂをクリアもしくはＯＦＦ（Ｓ３１２）して判断Ｓ３０２に戻る。また、判断Ｓ３０８で「ＮＯ」で入浴異常検出用タイマ５ｂがタイムアップしていない場合も、判断Ｓ３０２に戻る。つまり、このフローチャートの場合、入浴センサ７ｂで住人Ｍが検知された場合に風呂モードが自動的にＯＮ（設定）となり、また、入浴後に解除センサ７ｃが住人Ｍを検知することで風呂モードが自動的にＯＦＦ（解除）となり、風呂モードのＯＮ／ＯＦＦが自動的に行われつつ、住人Ｍの入浴異常が検出されることになる。なお、このフローチャートにおいて、判断Ｓ３０８で「ＮＯ」の場合、すなわち入浴異常検出用タイマ５ｂがタイムアップしていない場合は、判断Ｓ３０２に移行するのではなく、ステップＳ３０６に移行するようにしても良い。これは、後述する第３及び第４の実施形態のフローチャートにおいても同様である。
【００３７】
この第２実施形態のコントローラ１を使用した緊急通報装置においても、基本的に前記第１実施形態と同様の作用効果が得られると共に、風呂モードのＯＮ／ＯＦＦを自動的に行うことができるため、風呂モードへの設定忘れや、風呂モードの解除忘れを確実に防止できて、例えば機械操作に弱い高齢者等の住人Ｍであっても、簡単かつ的確に使用できて、緊急通報装置の使い勝手を一層高めることができる。また、入浴センサ７ｂや解除センサ７ｃを脱衣所２１や廊下２２等に新たに設置することで、既に設置されているライフリズム機能を有する緊急通報装置にも簡単に付設することができて、安価な緊急通報装置を得ることができる。
【００３８】
また、図７に示す第３実施形態の動作は、プログラムがスタート（Ｓ４０１）すると、風呂モードがＯＮか否かを判断（Ｓ４０２）し、この判断Ｓ４０２で「ＮＯ」で風呂モードがＯＦＦの場合は、入浴センサ７ｂが住人Ｍを検知したか否かを判断（Ｓ４０３）する。そして、この判断Ｓ４０３で「ＮＯ」で住人Ｍが検知されない場合は、判断Ｓ４０２に戻る。また、判断Ｓ４０３で「ＹＥＳ」で風呂モードがＯＦＦ状態で入浴センサ７ｂが住人Ｍを検知した場合は、入浴異常検出用タイマ５ｂの時間をセット（Ｓ４０４）し、風呂モードをＯＮ（Ｓ４０５）にして、判断Ｓ４０２に戻る。
【００３９】
また、前記判断Ｓ４０２で「ＹＥＳ」で風呂モードがＯＮの場合は、入浴異常検出用タイマ５ｂのカウントをアップ（Ｓ４０６）し、その後に解除センサ７ｃが住人Ｍを検知した否かを判断（Ｓ４０７）する。この判断Ｓ４０７で「ＮＯ」で解除センサ７ｃが入浴後の住人Ｍを検知しない場合は、入浴センサ７ｂが住人Ｍを検知したか否かを判断（Ｓ４０８）し、この判断Ｓ４０８で「ＹＥＳ」で住人Ｍを検知した場合は、前記ステップＳ４０４に移行して、入浴異常検出用タイマ５ｂの時間をセットする。
【００４０】
一方、判断Ｓ４０８で「ＮＯ」、すなわち解除センサ７ｃと入浴センサ７ｂが共に住人Ｍを検知しない場合は、入浴異常検出用タイマ５ｂがタイムアップか否かを判断（Ｓ４０９）し、この判断Ｓ４０９で「ＹＥＳ」で入浴異常検出用タイマ５ｂがタイムアップした場合は、前記ステップＳ３０９〜Ｓ３１１と同様に、入浴異常（Ｓ４１０）が発生したものと判定して、緊急通報（Ｓ４１１）を行ってエンド（Ｓ４１２）となる。また、判断Ｓ４０７で「ＹＥＳ」の場合は入浴異常検出用タイマ５ｂをクリアもしくはＯＦＦ（Ｓ４１３）して判断Ｓ４０２に戻り、判断Ｓ４０９で「ＮＯ」の場合も、判断Ｓ４０２に戻る。
【００４１】
つまり、このフローチャートの場合、第２実施形態と同様に、入浴センサ７ｂと解除センサ７ｃの検知信号により風呂モードのＯＮ／ＯＦＦが自動的に行われつつ、住人Ｍの入浴異常が検出されると共に、風呂モードがＯＮ状態の場合に、入浴センサ７ｂが住人Ｍを検知すると、入浴異常検出用タイマ５ｂの時間が再セットされることになる。この第３実施形態のコントローラ１を使用した緊急通報装置においても、風呂モードを自動的にＯＮ／ＯＦＦできる等、前記第２実施形態と同様の作用効果が得られる他に、入浴異常検出用タイマ５ｂの再セットが可能となるため、例えば住人Ｍが入浴中に一旦浴室から脱衣所２１に出た場合等に、入浴異常検出用タイマ５ｂの時間を再設定して、住人Ｍの入浴時間を所定時間確実に確保できる等、使い勝手に一層優れた緊急通報装置を得ることができる。
【００４２】
さらに、図８に示す第４実施形態の動作は、プログラムがスタート（Ｓ５０１）すると、風呂予備モードかＯＮかを判断（Ｓ５０２）し、この判断Ｓ５０２は「ＹＥＳ」になるまで繰り返される。なお、判断Ｓ５０２における風呂予備モードは、前記コントローラ１に設けた図示しない風呂予備モードスイッチの手動操作によりＯＮ／ＯＦＦされるか、あるいはコントローラ制御部３のタイマ５の時計タイマ５ａにより、住人Ｍの入浴時間帯としての例えば１８時〜２３時等の時間設定によって自動的に行うことができる。そして、判断Ｓ５０２で「ＹＥＳ」となった時点で、図６のステップＳ３０２〜Ｓ３０５と同様に、風呂モードがＯＮか否かを判断（Ｓ５０３）し、風呂モードでない場合は入浴センサ７ｂが住人Ｍを検知したか否かを判断（Ｓ５０４）し、その後に入浴異常検出用タイマ５ｂの時間をセット（Ｓ５０５）し、風呂モードをＯＮ（Ｓ５０６）して、判断Ｓ５０２に戻る。
【００４３】
また、前記判断Ｓ５０３で「ＹＥＳ」の場合は、図６のステップＳ３０６〜Ｓ３１２と同様に、入浴異常検出用タイマ５ｂのカウントをアップ（Ｓ５０７）し、その後に解除センサ７ｃが住人Ｍを検知した否かを判断（Ｓ５０８）する。この判断Ｓ５０８で「ＮＯ」の場合は、入浴異常検出用タイマ５ｂがタイムアップか否かを判断（Ｓ５０９）し、この判断Ｓ５０９で「ＹＥＳ」の場合は、入浴異常（Ｓ５１０）が発生したものと判定して、緊急通報（Ｓ５１１）を行ってエンド（Ｓ５１２）となる。また、判断Ｓ５０８で「ＹＥＳ」の場合は、入浴異常検出用タイマ５ｂをクリアもしくはＯＦＦ（Ｓ５１３）して判断Ｓ５０２に戻り、判断Ｓ５０９で「ＮＯ」の場合も、判断Ｓ５０２に戻る。
【００４４】
つまり、このフローチャートの場合、風呂予備モードを設け、この風呂モードがＯＮの場合にのみ、入浴異常検出機能が働くようになっており、この風呂予備モードにより風呂モードのＯＮ／ＯＦＦの二重化を図ることができる。この第４実施形態のコントローラ１を使用した緊急通報装置においても、風呂モードを自動的にＯＮ／ＯＦＦできる等、前記第２及び第３実施形態と同様の作用効果が得られる他に、風呂予備モードにより、自動でのＯＮ機能の精度を高めて緊急通報装置の信頼性を一層向上させることができる。
【００４５】
この第４実施形態の場合、風呂予備モードのＯＮ／ＯＦＦ設定は、前述した手動設定もしくは時計タイマ５ａによる自動設定の他に、例えば浴室２３の浴槽の水位を検出可能な水位センサや浴槽に湯を供給するための給湯器の水量センサ等の各種センサの入力信号に基づいてＯＮ／ＯＦＦ設定することも可能である。また、風呂予備モードのＯＮ／ＯＦＦ設定として時計タイマ５ａを使用した場合は、時計タイマ５ａに学習機能を持たせることにより、頻繁に使用される時間帯を風呂予備モードの時間帯として使用することで、設定の簡略化を図ることもできる。さらに、毎日の風呂モードがＯＮになった時間とＯＦＦになった時間を集計してその平均の前後２時間を風呂予備モードとするようにしても良い。
【００４６】
図９は、前記入浴センサ７ｂや解除センサ７ｃとして、有線式ではなく無線式のワイヤレスセンサを使用した場合の、当該センサ７ｂ、７ｃ及びこれらが接続されたコントローラ１の動作を示している。以下、これについて説明する。プログラムがスタート（Ｓ６０１）すると、ワイヤレスセンサ（以下、センサ７という）が住人Ｍを検知したか否かを判断（Ｓ６０２）し、この判断Ｓ６０２は「ＹＥＳ」になるまで繰り返され、「ＹＥＳ」となった時点で検知信号がコントローラ１に送信（Ｓ６０３）される。
【００４７】
コントローラ１は、センサ７からの検知信号が送信されると、受信を確認したか否かを判断（Ｓ６０４）し、この判断Ｓ６０４で「ＹＥＳ」で受信を確認した場合は、風呂モードもしくは風呂予備モードであるか否かを判断（Ｓ６０５）する。この判断Ｓ６０５で「ＮＯ」で風呂モードや風呂予備モードでない場合は、例えばセンサ７に設けられている休止モードタイマ（図示せず）のカウントをセット（Ｓ６０６）し、当該タイマをカウントアップ（Ｓ６０７）する。
【００４８】
その後、カウントアップが終了したか否かを判断（Ｓ６０８）し、この判断Ｓ６０８で「ＮＯ」の場合はステップＳ６０７に戻り、判断Ｓ６０８で「ＹＥＳ」の場合は、休止モードの機能を終了（Ｓ６０９）して判断Ｓ６０２に戻る。なお、休止モードとは、センサ７からの検知信号の無線による送信を、休止モードタイマで予め設定した時間休止（停止）させて、センサ７の電池の寿命を延ばすためのモードである。また、前記判断Ｓ６０５で「ＹＥＳ」の場合、すなわち風呂モードもしくは風呂予備モードに設定されている場合も、直ちに休止モードを停止させて判断Ｓ６０２に戻る。
【００４９】
つまり、このフローチャートの場合、風呂モードもしくは風呂予備モードに設定されている状態で、ワイヤレスのセンサ７を使用する場合に設けられる休止モードの機能を、風呂モードもしくは風呂予備モードにときに強制的に終了させることになる。したがって、例えば住人Ｍが脱衣所２１に入り浴室２３には入らず直ぐに脱衣所２１から出ると、廊下２２に設置されたワイヤレスの解除センサ７ｃが休止モードだと、当該解除センサ７ｃが動作せず住人Ｍを検知しない場合がある。
【００５０】
このような場合に、コントローラ１は、住人Ｍが脱衣所２１から出ているにも係わらず入浴中であると誤判定して、緊急通報装置が誤動作する可能性があるが、図９のフローチャートのように、風呂モードもしくは風呂予備モードのときに休止モードを終了させることで、前述した誤動作を防止できることになる。この図９に示す動作は、前記第１〜第４実施形態のそれぞれに適用できることは言うまでもない。
【００５１】
なお、本発明に係わる緊急通報装置のコントローラ１の動作は、前記各実施形態のそれぞれに限定されるものではなく、各実施形態の一部もしくは全部を組み合わせることもできる。また、前記各実施形態における、コントローラ制御部３やセンター制御部２５のブロック構成図及びこれらの動作、各センサ７ａ〜７ｃの設置場所、コントローラ制御部３の時計タイマ５ａや各タイマ５ｂ、５ｃの構成、報知手段の構成等は一例であって、各タイマ５ｂ、５ｃを兼用させる等、同等の機能が得られる適宜の構成を採用することができる。
【産業上の利用可能性】
【００５２】
本発明は、一人暮らしの一般住宅に限らず、例えば一人暮らしの多いマンション等の集合住宅にも適用できるし、一人暮らしに限らず夫婦二人等で暮らす各種住宅等の緊急通報装置にも利用できる。
【符号の説明】
【００５３】
１・・・・・・・コントローラ
２・・・・・・・センター装置
３・・・・・・・コントローラ制御部
５・・・・・・・タイマ
５ａ・・・・・・時計タイマ
５ｂ・・・・・・入浴異常検出用タイマ
５ｃ・・・・・・ライフリズム異常検出用タイマ
６・・・・・・・記憶部
７・・・・・・・センサ
７ａ・・・・・・ライフリズムセンサ
７ｂ・・・・・・入浴センサ
７ｃ・・・・・・解除センサ
８・・・・・・・操作部
８ａ・・・・・・風呂モードスイッチ
１０・・・・・・表示器
１１・・・・・・スピーカ
１４・・・・・・通報・通信部
１５・・・・・・通信網
１８・・・・・・住宅
１９・・・・・・居間
２０・・・・・・トイレ
２１・・・・・・脱衣所
２２・・・・・・廊下
２３・・・・・・浴室
２５・・・・・・センター制御部
３１・・・・・・電話回線部
Ｍ・・・・・・・住人
【図１】
2014063361.tif 000003
【図２】
2014063361.tif 000004
【図３】
2014063361.tif 000005
【図４】
2014063361.tif 000006
【図５】
2014063361.tif 000007
【図６】
2014063361.tif 000008
【図７】
2014063361.tif 000009
【図８】
2014063361.tif 000010
【図９】
2014063361.tif 000011